(57)【特許請求の範囲】
【請求項１】
同一形状の４枚の金属製の枠板と、この枠板を一部ずらしながら重ねて形成された枠体と、この枠体内にろ過板をジグザグ状に折り畳み複数のＶ字状に連設し配設されるろ材とを備え、前記枠板をねじ止めにより組み合わせ前記枠体を形成し、上流側および下流側となる前後方向の両端部に断面コの字状部を設け、左右方向の一端部にＬ字状部を形成した枠板を一部ずらしながら重ねて形成した前記枠体の上部側の左右に取手を設けたエアーフィルター。
【請求項２】
同一形状の４枚の金属製の枠板と、この枠板を一部ずらしながら重ねて形成された枠体と、この枠体内にろ過板をジグザグ状に折り畳み複数のＶ字状に連設し配設されるろ材とを備え、前記枠板をねじ止めにより組み合わせ前記枠体を形成し、上流側および下流側となる前後方向の両端部に設けられるコの字状部と、左右方向の両端に設けられるＬ字状部と、このＬ字状部の一方の前記Ｌ字状部近傍に設けられるねじの貫通する複数の貫通孔と、他方の前記Ｌ字状部に設けられる複数のねじ孔とを設けた前記枠板により前記枠体を形成し、前記枠体の角部に前記枠体の変形を防止する補強金具を着脱自在に設け、前記補強金具による補強を解除することにより前記枠体を変形し減容化することができることを特徴とするエアーフィルター。
【発明の詳細な説明】
【０００１】
【発明の属する技術分野】
本発明は、ビル、工場等に使用される空気調和機や空気清浄機等に設置される洗浄して再利用が可能なエアーフィルターに関する。
【０００２】
【従来の技術】
従来、この種のエアーフィルターの一例として図１３に示されるものが知られていた。以下、その構成について図１３を参照しながら説明する。
【０００３】
図に示すように、木材で形成される上下の枠板１０１にはＶ字形に折り曲げ連設したろ材１０２の上端または下端が挿入される略Ｖ字形の溝１０３を設け、ろ材１０２の端部を接着剤により溝１０３に固定し、木材で形成される側板１０４を枠板１０１に釘止めして枠体１０５を形成し、内部にろ材１０２を設けたエアーフィルターを形成していた。
【０００４】
また、金属板を用いる場合には、図１４に示すように、同一形状に形成した側板２０１の上下に同一形状に形成した枠板２０２をスポット溶接により結合して枠体２０３を形成し、枠体２０３の内部にはＶ字形に折り曲げ連設したろ材２０４を設けエアーフィルターを形成していた。
【０００５】
【発明が解決しようとする課題】
このような従来のエアーフィルターでは、前者の木製の場合においては、汚染されたエアーフィルターを洗浄して再利用することができないという課題があり、洗浄を可能にすることが要求されている。
【０００６】
また、後者の金属製の場合には、側板２０１に枠板２０２をスポット溶接により接合しているため、溶接加工工程が必要であり、ヒュームの発生による環境の悪化を伴うとともに、カラー鋼板等は使用できず材質が限定され、錆の発生する恐れもあり、また、廃却時の分解も困難であるという課題があり、スポット溶接を用いないで枠体を形成することが要求されている。
【０００７】
【課題を解決するための手段】
本発明のエアーフィルターは上記目的を達成するために、同一形状の４枚の金属製の枠板と、この枠板を一部ずらしながら重ねて形成された枠体と、この枠体内にろ過板をジグザグ状に折り畳み複数のＶ字状に連設し配設されるろ材とを備え、前記枠板をねじ止めにより組み合わせ前記枠体を形成し、上流側および下流側となる前後方向の両端部に断面コの字状部を設け、左右方向の一端部にＬ字状部を形成した枠板を一部ずらしながら重ねて形成した前記枠体の上部側の左右に取手を設けたものである。
【０００８】
【課題を解決するための手段】
本発明のエアーフィルターは上記目的を達成するために、同一形状の４枚の金属製の枠板と、この枠板がまんじ状に組み合わされて形成された枠体と、この枠体内にろ紙をジグザグ状に折り畳み複数のＶ字状に連設し配設されるろ材とを備え、前記枠板をねじ止めにより組み合わせ前記枠体を形成したものである。
【０００９】
本発明によれば、エアーフィルターの持ち運びが容易になるとともに、枠板の製作が容易となり、洗浄が可能でスポット溶接を必要とせず、コストが安くすることができるエアーフィルターが得られる。
【００１０】
【発明の実施の形態】
本発明は、同一形状の４枚の金属製の枠板と、この枠板を一部ずらしながら重ねて形成された枠体と、この枠体内にろ過板をジグザグ状に折り畳み複数のＶ字状に連設し配設されるろ材とを備え、前記枠板をねじ止めにより組み合わせ前記枠体を形成し、上流側および下流側となる前後方向の両端部に断面コの字状部を設け、左右方向の一端部にＬ字状部を形成した枠板を一部ずらしながら重ねて形成した前記枠体の上部側の左右に取手を設けたものであり、エアーフィルターの持ち運びが容易になるとともに、枠板の製作が容易となり、枠板は同一形状の金属製のものを使用するので、洗浄が可能で、枠体の形成時の金型等が一種類のものでよいこととなるとともに、ねじ止めにより枠板を一部ずらしながら重ねるためスポット溶接の必要がなくなり、コストが安くなる。また、廃却時等においてはねじ止めであるため容易に分解を図ることができるという作用を有する。
【００１１】
以下、本発明の実施例について図面を参照しながら説明する。
【００１２】
【実施例】
（実施例１）
図１〜図１０に、上流側および下流側となる前後方向の両端部に設けられる断面がコの字状部１と、左右方向の両端に設けられるＬ字状部２と、Ｌ字状部２の一方のＬ字状部２近傍に設けたねじ３の貫通する複数の貫通孔４と、他方のＬ字状部２に設けられるねじ３のねじ孔５とを設けた枠板６を一部ずらしながら重ねてねじ３により固定し、枠体７を形成する。
【００１３】
そして、枠体７の下流側の略中央に補強用の横機８を設け、ろ過板９ａをジグザグ状に折り畳みホットメルトで結合され、さらに複数のＶ字状に連設され枠体７内に収納されるろ材９の下流側の谷部に挿入されてろ材９を支持する山形状で樹脂で形成した下流側支持材１０を横機８に設けるとともに、枠体７の上下に配設された枠板６のコの字状部１に複数のねじ孔５Ａを設けてねじ２により下流側支持材１０を取り付け、ろ材９の下流側を同一形状の３枚の下流側支持材１０で支持する。
【００１４】
また、ろ材９の上流側は、ろ材９の下流側の谷部に挿入される山形状で樹脂で形成した上流側支持材１１に商品名ナイラッチ等の係脱自在なリベット１２と、上下に配設される枠板６に設けられたスペースカラー１３ａを設けた係合子１３に係合する杓子状の係合孔１４を設け、上下に配設される枠板６のコの字状部１に対応する位置にリベット１２の結合孔１５を設け、リベット１２と結合孔１５および係合子１３と係合孔１４により着脱手段１６を形成し、ろ材９の中央を前押さえ１７で押さえる。
【００１５】
また、ろ材９の両端部のろ過板９ａを枠体７の上流側の側部に設けた取付片１８に当てがい断面略Ｕ字状部１９ａを有した樹脂製のろ材端面押え１９で狭持して取り付けるように設ける。
【００１６】
また、枠体７の角部に枠体７を形成する上下の枠板６と左右の枠板６間に張架される形状で、枠体７の形状を維持する補強金具２０をねじにより着脱自在に設け構成する。
【００１７】
上記構成において、枠体７は４枚の同一形状の枠板６を一部ずらしながら重ねてねじ３を用いて接合させ、枠体７の角部に補強金具２０を取り付けることにより、枠体７を一部ずらしながら重ねる方向に変形するのが補強されることとなる。
【００１８】
そして、枠体７内に収納されるろ材９は下流側においては、横機８に取り付けられた下流側支持材１０と枠体７の上下内面に取り付けられた下流側支持材１０により支持され、ろ材９の上流側は、上下に配設された枠板６の内面に設けられた係合子１３に杓子状の係合孔１４を係合し、リベット１２を枠板６に設けた結合孔１５に結合する着脱手段１６により取り付けられる上流側支持材１１により支持され、ろ材９の端部はろ過板９ａの端部をろ材端面押え１９により支持されて取り付けられることとなる。
【００１９】
また、下流側支持材１０を取り付けるねじ孔５Ａおよび上流側支持材１１を取り付けるリベット１２の結合孔１５を何れも枠板６のコの字状部１に対応して設けられることにより、ねじ孔５Ａに螺合するねじ３の端部およびリベット１２の端部がコの字状部１内に位置することとなる。
【００２０】
また、枠体７内に設けたろ材９を交換するときには、上流側支持材１１を着脱手段１６を介して取り外すことによりろ材９を枠体７の上流側に取り出すことができ、新しいろ材と交換し、上流側支持材１１を取り付けることによりろ材９を交換することができる。
【００２１】
このように本発明の実施例１のエアーフィルターによれば、同一形状の４枚の金属製の枠板６と、この枠板６を一部ずらしながら重ねて形成される枠体７と、この枠体７内にろ過板９ａをジグザグ状に折り畳み複数のＶ字状に連設し配設されるろ材９とを備え、枠板６をねじ２によるねじ止めにより組み合わせ枠体７を形成したので、洗浄が可能でスポット溶接を用いる必要がなくなり、スポット溶接設備の無い所でも組み立てが可能となるとともにスポット溶接時のヒュームの発生が防止され、環境の悪化するのが防止でき、また、カラー鋼板等の使用も可能となり、錆の発生も防止でき、また、同一形状の枠板６を使用することにより一種類の金型で製作が可能となりコスト低減を図ることができる。
【００２２】
また、上流側および下流側となる前後方向の両端部に設けられるコの字状部１と、左右方向の両端に設けられるＬ字状部２と、このＬ字状部２の一方のＬ字状部２近傍に設けられるねじ３の貫通する複数の貫通孔４と、他方のＬ字状部２に設けられる複数のねじ孔５とを設けた枠板６により枠体７を形成することによりねじ止め作業が一方向から可能となり作業性が向上する。
【００２３】
また、枠体７の下流側の略中央に設けられる補強用の横機８と、この横機８に取り付けられるろ材９の谷部に挿入されてろ材９を支持する複数の山形状の下流側支持材１０と、枠体７の下流側の上下内面に設けられる下流側支持材１０と同形状の下流側支持材１０とを備え、同一形状の複数の下流側支持材１０によりろ材９の下流側を所定形状に支持する構成としたので、同一形状の下流側支持材１０を複数用いてろ材９の下流側を支持することができ、複数種類の下流側支持材を使用する場合に比較してコストも安く、取り付けも容易となる。
【００２４】
また、枠体７の上流側の上下面にろ材９の谷部に挿入してろ材９を支持する上流側支持材１１を着脱手段１６を介して着脱自在に設けたので、工具を用いることなく上流側支持材１１を取り外すことができ、ろ材９の交換を容易に行うことができ、また、ろ材９の両端部のろ過板９ａを枠体７の上流側の側部に設けた取付片１８に当てがい断面略Ｕ字状部１９ａを有したろ材端面押え１９で弾性狭持して取り付ける構成としたので、工具を用いることなく、ろ材９の端部を枠体７に取り付けることができる。
【００２５】
また、枠体７の角部に枠体７の形状を保持する補強金具２０を着脱自在に設けたので、枠板６を一部ずらしながら重ねる方向に変形し易い枠体７変形を防止することができ、また、廃却時に補助金具２０のねじ止めを解除することにより枠体７を容易に薄形に変形して減容化を図ることができる。
【００２６】
また、下流側支持材１０を取り付けるねじ孔５Ａおよび上流側支持材１１を取り付けるリベット１２の結合孔１５を枠板６のコの字状部１に対応して設けたので、ねじ孔５Ａに螺合するねじ３の端部および、結合孔１５に結合したリベット１２の端部はコの字状部１内に位置することとなりねじ３の端部およびリベット１２の端部が板上に突出するのが防止され、安全性が高まるとともに美観性が向上する。
【００２７】
（実施例２）
図１１に示すように、上流側および下流側となる前後方向の両端部に断面コの字状部１Ａを設け、左右方向の一端部にＬ字状部２Ａを形成した枠板６Ａを、一部ずらしながら重ねてねじ３Ａによりねじ止め形成した枠体７Ａの上部側の左右に枠板６Ａの前部から後部に至る長さの角形の取手２１をねじ孔５Ａを利用してねじ３Ａにより取り付ける構成とする。
【００２８】
上記構成において、枠板６Ａは一端部にのみＬ字状部４Ａを形成し、枠体７Ａに取手２１を取り付けたので、エアーフィルターの運搬や移動時に取手２１を用いて行うことができ便利になる。
【００２９】
このように本発明の実施例２のエアーフィルターによれば、上流側および下流側となる前後方向の両端部に断面がコの字状部１Ｂを設け、左右方向の一端部をＬ字状部２Ａを形成した枠板６Ａを一部ずらしながら重ねて形成した枠体７Ａの上部側の左右に取手２１を設けたので、エアーフィルターの持ち運びが容易になるとともに、枠板６Ａの製作が容易となる。
【００３０】
（参考例）
図１２に示すように、枠板６Ｂを一部ずらしながら重ねて枠体７Ｂを形成する枠板６Ｂ間に形成される隙間をシール材２２でシールして高気密性対応に形成した構成とする。 上記構成において、枠体７Ｂ内に設けられるろ材９内に汚染空気を通してろ過するときに枠板６Ｂ間に形成される隙間から漏れることがシール材２２により防止できる。
【００３１】
このように本発明の参考例のエアーフィルターによれば、枠板６Ｂを一部ずらしながら重ねて枠体７Ｂを形成する枠板６Ｂ間に形成される隙間をシール材２２でシールしたので、高気密性対応のエアーフィルターが得られるとともに、枠板６Ｂにシール材２２を設けておいたのち、枠板６Ｂを一部ずらしながら重ねることが可能となりシールがし易くなる。
【００３２】
【発明の効果】
以下の実施例から明らかなように、同一形状の４枚の金属製の枠板と、この枠板を一部ずらしながら重ねて形成された枠体と、この枠体内にろ過板をジグザグ状に折り畳み複数のＶ字状に連設し配設されるろ材とを備え、前記枠板をねじ止めにより組み合わせ前記枠体を形成し、上流側および下流側となる前後方向の両端部に断面コの字状部を設け、左右方向の一端部にＬ字状部を形成した枠板を一部ずらしながら重ねて形成した前記枠体の上部側の左右に取手を設けたので、エアーフィルターの持ち運びが容易になるとともに、枠板の製作が容易となり、洗浄が可能でスポット溶接を必要としないコストの安い効果のあるエアーフィルターを提供することができる。
【００３７】
また、同一形状の４枚の金属製の枠板と、この枠板を一部ずらしながら重ねて形成された枠体と、この枠体内にろ過板をジグザグ状に折り畳み複数のＶ字状に連設し配設されるろ材とを備え、前記枠板をねじ止めにより組み合わせ前記枠体を形成し、上流側および下流側となる前後方向の両端部に設けられるコの字状部と、左右方向の両端に設けられるＬ字状部と、このＬ字状部の一方の前記Ｌ字状部近傍に設けられるねじの貫通する複数の貫通孔と、他方の前記Ｌ字状部に設けられる複数のねじ孔とを設けた前記枠板により前記枠体を形成し、前記枠体の角部に前記枠体の変形を防止する補強金具を着脱自在に設け、前記補強金具による補強を解除することにより前記枠体を変形し減容化することができることを特徴とするものであり、枠体の角部に枠体の形状を維持する補強金具を着脱自在に設けたので、枠体の変形を防止することができ、廃却時に補強金具による補強を解除することにより、枠体を容易に薄形に変形することができ減容化を図ることができ、洗浄が可能でスポット溶接を必要としないコストの安い効果のあるエアーフィルターを提供することができる。
【図面の簡単な説明】
【図１】本発明の実施例１のエアーフィルターの斜視図
【図２】同エアーフィルターの枠板の組み合せ状態を示す分解斜視図
【図３】同エアーフィルターの枠板のねじ止め状態を示す側面図
【図４】同エアーフィルターの背面側斜視図
【図５】同エアーフィルターの下流側支持材と横機の斜視図
【図６】同エアーフィルターの上流側支持材の斜視図
【図７】同エアーフィルターの上流側支持材の取り付け状態を示す分解斜視図
【図８】同エアーフィルターのリベットによる結合状態を示す断面図
【図９】同エアーフィルターの上流側支持材および下流側支持材の取り付け状態を示す側面図
【図１０】同エアーフィルターのろ材端面の取付状態を示す断面図
【図１１】本発明の実施例２の枠板の組み合せ状態を示す分解斜視図
【図１２】参考例の枠板の組み合せ状態を示す分解斜視図
【図１３】従来のエアーフィルターの概略構成を示す分解斜視図
【図１４】同他の例のエアーフィルターの斜視図
【符号の説明】
１     コの字状部
１Ａ   コの字状部
２     Ｌ字状部
２Ａ   Ｌ字状部
３     ねじ
３Ａ   ねじ
４     貫通孔
５     ねじ孔
５Ａ   ねじ孔
６     枠板
６Ａ   枠板
７     枠体
７Ａ   枠体
８     横機
９     ろ材
９ａ   ろ過板
１０   下流側支持材
１１   上流側支持材
１６   着脱手段
１８   取付片
１９   ろ材端面押え
１９ａ Ｕ字状部
２０   補強金具
２１   取手
２２   シール材
【図１】
0004675452.tif 000002
【図２】
0004675452.tif 000003
【図３】
0004675452.tif 000004
【図４】
0004675452.tif 000005
【図５】
0004675452.tif 000006
【図６】
0004675452.tif 000007
【図７】
0004675452.tif 000008
【図８】
0004675452.tif 000009
【図９】
0004675452.tif 000010
【図１０】
0004675452.tif 000011
【図１１】
0004675452.tif 000012
【図１２】
0004675452.tif 000013
【図１３】
0004675452.tif 000014
【図１４】
0004675452.tif 000015